(57)【要約】【課題】  物理チャンネルと仮想チャンネルとの対応関係に変更があった場合でも指定どおりのチャンネルが受信できるようにする。【解決手段】  ステップＳ１２０にて選局中の放送信号からＳＤＴが検出した場合のみ、ステップＳ１６０にて、そのまま録画を行う。ステップＳ１２５，Ｓ１４０では録画予約にて指定された仮想チャンネルが受信可能な物理チャンネルを全物理チャンネルから検索する。そして、検索された物理チャンネルをステップＳ１５５にて選局させ録画を行う。従って、録画予約にて指定された仮想チャンネルに対応する物理チャンネルが変更されていても、その変更に追従して録画を行うことができる。【選択図】  図５
2007104127.tif 000002
【特許請求の範囲】
【請求項１】
チューナが選局する搬送周波数に対応する物理チャンネルと、録画予約の際に指定される仮想チャンネルとの対応関係を規定したチャンネル対応テーブルと、
上記チャンネル対応テーブルを参照して上記録画予約にて指定された上記仮想チャンネルに対応する上記物理チャンネルを特定する特定手段と、
上記特定手段にて特定された上記物理チャンネルを上記チューナにて選局させて録画を行う録画手段とを具備するデジタル放送録画装置において、
上記録画手段が録画を開始する際に上記チューナがデジタル放送信号を受信しているかどうかを確認する確認手段と、
上記確認手段にて上記チューナがデジタル放送信号を受信していると確認されないとき、上記チャンネル対応テーブルにていずれかの上記仮想チャンネルが対応づけられた上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する第一検索手段と、
上記第一検索手段において上記録画予約にて指定された上記仮想チャンネルが受信可能な上記物理チャンネルを検索されないとき、すべての上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する第二検索手段と、
上記第一検索手段または上記第二検索手段において特定した上記物理チャンネルと上記仮想チャンネルとの対応関係を上記チャンネル対応テーブルに更新する更新手段とを具備するとともに、
上記録画手段は、
上記確認手段にて上記チューナがデジタル放送信号を受信していると確認されたとき、同チューナが受信している上記デジタル放送信号に基づく映像を録画し、
上記第一検索手段または上記第二検索手段において上記録画予約にて指定された上記仮想チャンネルが受信可能な上記物理チャンネルが検索されたとき、同検索された同物理チャンネルを上記チューナにて選局することにより受信される上記デジタル放送信号に基づく映像を録画し、
上記第一検索手段または上記第二検索手段のいずれにおいても上記録画予約にて指定された上記仮想チャンネルが受信可能な上記物理チャンネルが検索されないとき警告を行いつつ録画を行わないことを特徴とするデジタル放送録画装置。
【請求項２】
チューナが選局する搬送周波数に対応する物理チャンネルと、録画予約の際に指定される仮想チャンネルとの対応関係を規定したチャンネル対応テーブルと、
上記チャンネル対応テーブルを参照して上記録画予約にて指定された上記仮想チャンネルに対応する上記物理チャンネルを特定する特定手段と、
上記特定手段にて特定された上記物理チャンネルを上記チューナにて選局させて録画を行う録画手段とを具備するデジタル放送録画装置において、
上記録画手段が録画を開始する際に上記チューナがデジタル放送信号を受信しているかどうかを確認する確認手段と、
上記確認手段にて上記チューナがデジタル放送信号を受信していると確認されないとき、上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する検索手段とを具備するとともに、
上記録画手段は、
上記確認手段にて上記チューナがデジタル放送信号を受信していると確認されたとき、同チューナが受信している上記デジタル放送信号に基づく映像を録画し、
上記検索手段において上記録画予約にて指定された上記仮想チャンネルが受信可能な上記物理チャンネルが検索されたとき、同検索された同物理チャンネルを上記チューナにて選局することにより受信される上記デジタル放送信号に基づく映像を録画することを特徴とするデジタル放送録画装置。
【請求項３】
上記検索手段は、
上記チャンネル対応テーブルにていずれかの上記仮想チャンネルが対応づけられた上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する請求項２に記載のデジタル放送録画装置。
【請求項４】
上記検索手段は、
上記チャンネル対応テーブルにていずれかの上記仮想チャンネルが対応づけられた上記物理チャンネルのなかから上記録画予約にて指定された上記仮想チャンネルが受信可能な上記物理チャンネルが検索されないとき、すべての上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する請求項３に記載のデジタル放送録画装置。
【請求項５】
上記検索手段は、
上記チャンネル対応テーブルに記憶された上記物理チャンネルと上記仮想チャンネルとの過去の対応関係に基づき上記録画予約にて指定された上記仮想チャンネルが過去に対応づけられた上記物理チャンネルを特定し、同特定した上記物理チャンネルを上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する請求項２に記載のデジタル放送録画装置。
【請求項６】
上記検索手段において特定した上記物理チャンネルと上記仮想チャンネルとの対応関係を上記チャンネル対応テーブルに更新する更新手段を具備することを特徴とする請求項２から請求項５のいずれかに記載のデジタル放送録画装置。
【請求項７】
上記録画手段は、
上記検索手段において上記録画予約にて指定された上記仮想チャンネルが受信可能な上記物理チャンネルが検索されないとき警告を行うことを特徴とする請求項２から請求項６のいずれかに記載のデジタル放送録画装置。
【請求項８】
上記録画手段は、
上記検索手段において上記録画予約にて指定された上記仮想チャンネルが受信可能な上記物理チャンネルが検索されないとき録画を行わないことを特徴とする請求項２から請求項７のいずれかに記載のデジタル放送録画装置。
【発明の詳細な説明】
【技術分野】
【０００１】
本発明は、デジタル放送録画装置に関する。
【背景技術】
【０００２】
従来、この種のデジタル放送受信装置として、仮想チャンネルが指定されたとき、同仮想チャンネルがチャンネルマップに登録されているかどうかを判定し、登録されてない場合には、当該仮想チャンネルが受信可能な物理チャンネルをスキャンするものが提案されている（例えば、特許文献１、参照。）。
かかる構成によれば、使用者が指定した仮想チャンネルがチャンネルマップに登録されていなくても、当該仮想チャンネルを選局させることができた。
【特許文献１】特開２００２−３４４８２９号公報
【発明の開示】
【発明が解決しようとする課題】
【０００３】
上述した技術において、使用者が指定した仮想チャンネルがチャンネルマップに登録されている場合には、同仮想チャンネルに対応する物理チャンネルが選局されることとなる。しかしながら、チャンネルマップにおける物理チャンネルと仮想チャンネルとの対応関係が正しくない場合には、誤った物理チャンネルが選局されるという問題があった。すなわち、デジタルテレビ放送においては、仮想チャンネルと物理チャンネルとの対応関係が時間帯ごとに変更されるため、チャンネルマップが最新のものでないと、過去に対応していた不正な物理チャンネルが受信されるという問題があった。
本発明は、上記課題にかんがみてなされたもので、物理チャンネルと仮想チャンネルとの対応関係に変更があった場合でも録画予約どおりのチャンネルが録画可能なデジタル放送録画装置の提供を目的とする。
【課題を解決するための手段】
【０００４】
上記課題を解決するために請求項２にかかる発明では、チューナが選局する搬送周波数に対応する物理チャンネルと、録画予約の際に指定される仮想チャンネルとの対応関係を規定したチャンネル対応テーブルと、上記チャンネル対応テーブルを参照して上記録画予約にて指定された上記仮想チャンネルに対応する上記物理チャンネルを特定する特定手段と、上記特定手段にて特定された上記物理チャンネルを上記チューナにて選局させて録画を行う録画手段とを具備するデジタル放送録画装置において、
上記録画手段が録画を開始する際に上記チューナがデジタル放送信号を受信しているかどうかを確認する確認手段と、上記確認手段にて上記チューナがデジタル放送信号を受信していると確認されないとき、上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する検索手段とを具備するとともに、上記録画手段は、上記確認手段にて上記チューナがデジタル放送信号を受信していると確認されたとき、同チューナが受信している上記デジタル放送信号に基づく映像を録画し、上記検索手段において上記録画予約にて指定された上記仮想チャンネルが受信可能な上記物理チャンネルが検索されたとき、同検索された同物理チャンネルを上記チューナにて選局することにより受信される上記デジタル放送信号に基づく映像を録画する構成としてある。
【０００５】
上記のように構成した請求項２の発明において、デジタル放送録画装置が扱うチャンネルには、チューナが選局する搬送周波数に対応する物理チャンネルと、録画予約の際に指定される仮想チャンネルとがある。物理チャンネルは搬送周波数と一体不可分の関係にあり、物理チャンネルと搬送周波数との対応関係が変更されることはない。一方、仮想チャンネルは使用者が扱うチャンネルであり、録画予約の際にも仮想チャンネルで録画するチャンネルが指定される。上記物理チャンネルと上記仮想チャンネルとの対応関係を規定したチャンネル対応テーブルを備えることにより、上記仮想チャンネルから対応する上記物理チャンネルを特定し、さらに同特定された物理チャンネルに対応する搬送周波数を特定することができる。従って、特定手段では上記チャンネル対応テーブルを参照して上記録画予約にて指定された上記仮想チャンネルに対応する上記物理チャンネルを特定することができ、録画手段においては同特定手段にて特定された同物理チャンネルを上記チューナにて選局させて録画を行うことができる。すなわち、使用者が録画予約した上記仮想チャンネルについて録画を行うことができる。
【０００６】
確認手段は上記録画手段が録画を行う際に、上記チューナがデジタル放送信号を受信しているかどうかを確認する。そして、上記確認手段にて上記チューナがデジタル放送信号を受信していると確認されないときには、上記検索手段が上記録画予約にて指定された上記仮想チャンネルが受信可能な上記物理チャンネルを検索する。具体的には、上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する。上記確認手段にて上記チューナがデジタル放送信号を受信していると確認された場合には、上記録画手段は同チューナが受信している上記デジタル放送信号に基づく映像を録画する。一方、上記検索手段において上記録画予約にて指定された上記仮想チャンネルが受信可能な上記物理チャンネルが検索された場合には、上記録画手段は同検索された同物理チャンネルを上記チューナにて選局することにより受信される上記デジタル放送信号に基づく映像を録画する。
【発明の効果】
【０００７】
以上説明したように請求項１および請求項２の発明によれば、物理チャンネルと仮想チャンネルとの対応関係に変更があった場合でも録画予約どおりのチャンネルが録画可能なデジタル放送録画装置を提供することができる。
請求項３の発明によれば、使用頻度の高い搬送周波数帯域についてのみ仮想チャンネルを検索することができる。
請求項４の発明によれば、必要な場合には、すべての搬送周波数帯域について仮想チャンネルを検索することができる。
【０００８】
請求項５の発明によれば、所望の仮想チャンネルが割り当てられる可能性が高い搬送周波数帯域についてのみ仮想チャンネルを検索することができる。
請求項６の発明によれば、チャンネル対応テーブルを最新の状態に更新することができる。
請求項７の発明によれば、正常に録画できない旨を使用者に伝達することができる。
請求項８の発明によれば、記録媒体が無駄に消費されることが防止できる。
【発明を実施するための最良の形態】
【０００９】
ここでは、下記の順序に従って本発明の実施形態について説明する。
（１）デジタル放送録画装置の構成：
（２）録画処理：
（３）変形例：
【００１０】
（１）ビデオレコーダの構成：
図１は、本発明の一実施形態にかかるデジタル放送録画装置としてのビデオレコーダの内部構成を概念的に示している。同図において、ビデオレコーダ２０は、アンテナ１０から放送信号を入力するチューナ２２を備えている。チューナ２２は、ＣＰＵ２８ａから選局を行う搬送周波数を指定する選局信号を受け付けており、同選局信号にて指定された搬送周波数を設定することにより、所望の搬送周波数帯域の放送信号を抽出することができる。なお、本実施形態では本発明のデジタル放送録画装置の一実施形態として、ビデオレコーダ２０を例示したが、ＤＶＤレコーダやＨＤＤレコーダ等であっても、本発明を適用することは可能である。
【００１１】
ＣＰＵ２８ａはバス２９に接続されており、バス２９に接続されたＲＡＭ２８ｂをワークエリアとしながら、当該ビデオレコーダ２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。
【００１２】
具体的には、ＥＥＰＲＯＭ２８ｄに選局データ２８ｄ１とＯＳＤデータ２８ｄ２と予約データ２８ｄ３が記憶される。選局データ２８ｄ１には、上述した搬送周波数と物理チャンネルとの対応関係と、この物理チャンネルと仮想チャンネルの対応関係が格納されている。図２は、選局データ２８ｄ１を表にして示している。同図において、選局データ２８ｄ１においては、搬送周波数と物理チャンネルとの対応関係が定義されており、物理チャンネルの番号は搬送周波数の昇順に連続した整数が割り当てられている。一方、各物理チャンネルについて受信可能である旨のフラグを付与することが可能となっており、受信可能である旨のフラグが付与された物理チャンネルについては仮想チャンネルの番号が割り当てられている。予め全物理チャンネルを順に選局し、受信可能な物理チャンネルを検索するオートプリセットが行われており、その結果、受信された物理チャンネルについては受信可能である旨のフラグが付与される。また、オートプリセットの際に受信されたデジタル放送信号に含まれる仮想チャンネル番号についての情報をＳＤＴ（Service Description Table）から取得し、同取得した情報に基づいて仮想チャンネルの番号が当該放送信号が受信された物理チャンネルに対応づけられる。また、ＳＤＴが検出されれば、適正にデジタル放送信号が受信されていると判断することができる。
【００１３】
この仮想チャンネルの番号は、各放送局等の取り決めに依存しているため、連続する整数でなく、規則性がない。また、仮想チャンネルが受信できる物理チャンネル（搬送周波数）は、常に一定ではなく、時間によって変動する。例えば、仮想チャンネルの１１ｃｈが、昨日まで物理チャンネルの３ｃｈにて受信できたのに、今日からは物理チャンネルの３０ｃｈにて受信できるといったことが発生する。新聞等に掲載される番組表には仮想チャンネルのみが記載されており、使用者は仮想チャンネルを指定することにより所望の番組の視聴や録画を行う。なお、一の搬送周波数帯域において複数の仮想チャンネルが多重化されて放送される場合があるため、一の物理チャンネルに対して複数の仮想チャンネルが対応する場合がある。なお、選局データ２８ｄ１において物理チャンネルと仮想チャンネルとの対応関係を示す部分が本発明のチャンネル対応テーブルに相当する。
【００１４】
選局データ２８ｄ１を参照することにより、所望の仮想チャンネルを指定すると、同仮想チャンネルに対応する物理チャンネルが特定され、さらに同物理チャンネルに対応する搬送周波数を特定することができる。従って、リモコン４０にて受信すべき仮想チャンネルの番号が指定された場合には、同仮想チャンネルが受信可能な搬送周波数帯域の放送信号をチューナ２２にて受信させることができる。
【００１５】
チューナ２２の出力は、デジタル再生回路２３に供給される。すなわち、ビデオレコーダ２０は、放送信号を再生することが可能となっている。デジタル再生回路２３は、デジタルＩ／Ｆ２３ａと復調回路２３ｂとデ・スクランブル部２３ｃとデ・マルチプレックス部２３ｄとＭＰＥＧデコーダ２３ｇとから構成されている。チューナ２２から放送信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００１６】
すなわち、デジタルＩ／Ｆ２３ａと復調回路２３ｂは、チューナ２２から入力される放送信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。
【００１７】
また、復調回路２３ｂにて復調およびエラー訂正処理を行うことにより得られたトランスポートストリームはデ・スクランブル部２３ｃに供給される。トランスポートストリームは、通常、スクランブルがかかっているため、このままでは適正に映像・音声を再生することはできない。そこで、デ・スクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デ・マルチプレックス部２３ｄに供給される。デ・マルチプレックス部２３ｄでは入力されたデータに対してデ・マルチプレックス処理を行う。すなわち、ここで多重化が解除される。このとき、トランスポートストリームに含まれたＳＤＴを解析することにより、現在受信中の放送信号の仮想チャンネルの番号や名前を取得することができる。なお、デ・スクランブル部２３ｃとデ・マルチプレックス部２３ｄとはそれぞれの処理を行う際にワークエリアとしてＤＲＡＭ２３ｅを利用することが可能である。
【００１８】
デ・マルチプレックス処理にて多重化が解除されると、単一の周波数帯において複数のチャンネルのＭＰＥＧデータが多重化されて搬送される多重化チャンネルについても多重化を解除される。ＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００１９】
ＭＰＥＧデコーダ２３ｇはＯＳＤ処理部２３ｈを備えており、出力中や録画中の映像に予めＥＥＰＲＯＭ２８ｄに記憶されたＯＳＤデータ２８ｄ２が示す映像を重ねて表示したり、差し替えて表示するなどの処理を行うことができる。ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｈにてグラフィックス処理を実行可能になっている。そして、圧縮解凍・アナログ変換された映像信号は映像出力部２６に供給され、同映像出力部２６にて同映像信号が外部のテレビジョン３０に出力される。テレビジョン３０に対してアナログ映像信号を出力する方式としては、コンポジット出力やＳーＶｉｄｅｏ出力等の各種方式を採用することができる。一方、ＭＰＥＧデコード処理により生成された音声信号は、音声出力部２７に入力され、同音声出力部２７から外部のテレビジョン３０に出力される。
【００２０】
また、ＭＰＥＧデコーダ２３ｇで生成された映像信号と音声信号は、ビデオユニット２４に備えられた変換部２４ｃにも入力される。変換部２４ｃは入力した映像信号と音声信号ヘッド２４ｂに出力可能な形式に変換する。ヘッド２４ｂは、入力した映像信号と音声信号をビデオテープに磁気的に記録する。ヘッド２４ｂが記憶するのに同期してモータ等のテープ駆動系２４ａがビデオテープを駆動させ、ヘッド２４ｂに新たな記録面を供給するため、ビデオテープの長さに応じた時間だけ映像と音声を録画することができる。なお、テープ駆動系２４ａはＣＰＵ２８ａの指令に基づきビデオテープの駆動速度を切り換えることができ、低速側に切り換えることにより記録時間を長くすることができる。
【００２１】
ＥＥＰＲＯＭ２８ｄには予約データ２８ｄ３が記憶されており、同予約データ２８ｄ３に基づいて録画が行われる。図３は、予約データ２８ｄ３の内容を示している。同図において、予約データ２８ｄ３には、各録画予約について録画する時間と録画する仮想チャンネル指定されている。ＣＰＵ２８ａは、タイマ２８ｆから現在の時刻と、予約データ２８ｄ３の各録画予約について録画開始時間を取得する。そして、タイマ２８ｆから録画開始時刻の１０秒前の時刻が計測されたとき、各部に電源を供給するとともに、チューナ２２にて予約データ２８ｄ３にて指定された仮想チャンネルの選局を開始する。
【００２２】
具体的には、予約データ２８ｄ３にて指定された仮想チャンネルに対応する物理チャンネルを選局データ２８ｄ１から取得し、同物理チャンネルに対応する搬送周波数をチューナ２２に設定させ、デジタル再生回路２３を起動する。そして、タイマ２８ｆが録画開始時間を計測すると、テープ駆動系２４ａとヘッド２４ｂを駆動させ、ビデオテープへの記録を開始させる。タイマ２８ｆが録画終了時間を計測すると、チューナ２２とデジタル再生回路２３とテープ駆動系２４ａとヘッド２４ｂを停止させ、録画を終了させる。
【００２３】
なお、ヘッド２４ｂは、ビデオテープに記憶された音声信号と映像信号を磁気的に読み出して、電気信号を生成することができる。そして、この電気信号を変換部２４ｃに入力することにより、テレビジョン３０に出力可能な映像信号と音声信号が生成でき、ビデオテープに記録された映像や音声をテレビジョン３０にて再生することができる。ビデオテープに記録された映像や音声をテレビジョン３０にて再生する場合においても、テープ駆動系２４ａがビデオテープを駆動させるため、順次記録された映像や音声を再生することができる。
【００２４】
上述したＣＰＵ２８ａはバス２９に接続されており、バス２９に接続されたＲＡＭ２８ｂをワークエリアとしながら、当該ビデオレコーダ２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データ２８ｄ１，２８ｄ２，２８ｄ３を使用して制御処理を実行する。バス２９にはインターフェイス２１ａを介して警告ＬＥＤ２１が接続されており、ＣＰＵ２８ａが警告を行う場合には警告ＬＥＤ２１を点灯させる。
【００２５】
図４は、ＣＰＵ２８ａおよびＲＡＭ２８ｂにて実行される制御プログラムの構成を模式的に示している。同図において、制御プログラムＰは特定部Ｐ１と確認部Ｐ２と検索部Ｐ３と更新部Ｐ４と録画部Ｐ５の各モジュールから構成されている。特定部Ｐ１は、予約データ２８ｄ３を取得し、録画予約にて指定された仮想チャンネルの番号を取得する。そして、特定部Ｐ１は、選局データ２８ｄ１を参照することにより、当該仮想チャンネルが受信可能な物理チャンネルを特定する。特定された物理チャンネルの搬送周波数がチューナ２２にて選局される。
【００２６】
確認部Ｐ２は、デ・マルチプレックス部２３ｄにて多重化が解除されたデジタル放送信号を取得し、このトランスポートストリームに含まれるＳＤＴ（Service Description Table）を検出する。これにより、チューナ２２がデジタル放送信号を受信しているかどうかを確認することができる。ＳＤＴが検出されればいずれかの仮想チャンネルのデジタル放送信号を受信していると判断できるし、ＳＤＴが検出されなければいずれの仮想チャンネルのデジタル放送信号も受信していないと判断できる。
【００２７】
検索部Ｐ３は、確認部Ｐ３においてＳＤＴが検出されず、デジタル放送信号が受信されない場合に、予約データ２８ｄ３にて指定された仮想チャンネルが受信可能な物理チャンネルの検索を行う。まず、選局データ２８ｄ１を参照し、いずれかの仮想チャンネルが対応づけられた物理チャンネルを取得する。そして、いずれかの仮想チャンネルが対応づけられた物理チャンネルを順に選局させ、各物理チャンネルにおいてＳＤＴが検出できたかどうかを判定する。そして、ＳＤＴが検出できた場合、そのＳＤＴを解析し、同放送信号の仮想チャンネル番号を取得する。そして、受信されたデジタル放送信号のＳＤＴに格納された仮想チャンネル番号が予約データ２８ｄ３にて指定された仮想チャンネル番号が受信できる物理チャンネルを検索する。
【００２８】
ここで、予約データ２８ｄ３にて指定された仮想チャンネル番号が受信できる物理チャンネルが検出されない場合には、検索部Ｐ３はすべての物理チャンネルを順に選局させ、各物理チャンネルにおいてＳＤＴが検出できたかどうかを判定する。そして、ＳＤＴが検出できた場合、そのＳＤＴを解析し、同放送信号の仮想チャンネル番号を取得する。そして、受信されたデジタル放送信号のＳＤＴに格納された仮想チャンネル番号が予約データ２８ｄ３にて指定された仮想チャンネル番号が受信できる物理チャンネルを検索する。すなわち、はじめの段階では、選局データ２８ｄ１においていずれかの仮想チャンネルが対応づけられた物理チャンネルのみを検索し、指定した仮想チャンネルが受信できる物理チャンネルが検索されない場合には、すべての物理チャンネルを検索する。
【００２９】
更新部Ｐ４は、検索部Ｐ３が検索を行った場合に、同検索によって得られた物理チャンネルと仮想チャンネルとの対応関係を選局データ２８ｄ１に更新させる。検索部Ｐ３は検索を行う際に、各物理チャンネルを選局するとともに、その際にＳＤＴを取得し、同ＳＤＴに格納された仮想チャンネルを取得するため、検索を行った物理チャンネルについては対応する仮想チャンネルを特定することができる。従って、検索部Ｐ３が検索を行った際に特定された最新の物理チャンネルと仮想チャンネルとの対応関係を選局データ２８ｄ１に更新させることができる。
【００３０】
録画部Ｐ５は、特定部Ｐ１にて特定された物理チャンネル、または、検索部Ｐ３にて検索された物理チャンネルのいずれかをチューナ２２にて選局させ、選局して得られた放送信号をデジタル再生回路２３にて再生した映像や音声をビデオユニット２４にて録画する。一方、検索部Ｐ３にていずれの物理チャンネルも検出されない場合には、録画を行わないとともに、警告ＬＥＤ２１を点灯させて使用者に正常に録画ができなかった旨の警告を行う。なお、警告ＬＥＤ２１はビデオレコーダ２０のフロントパネルに取り付けられており、使用者が容易に警告ＬＥＤ２１の点灯を確認することができる。
【００３１】
（２）録画処理：
図５は、録画処理の流れを示している。同図において、ステップＳ１００では、予約データ２８ｄ３に記憶された予約開始時刻と、タイマ２８ｆから現在の時刻を取得し、予約された録画開始時刻の１０秒前となっているかどうかを判断する。予約された録画開始時刻の１０秒前となっていない場合には、ステップＳ１０５にて待機し、再度、ステップＳ１００にて予約された録画開始時刻の１０秒前となっているかどうかを判断する処理を繰り返す。一方、予約された録画開始時刻の１０秒前となった場合には、ステップＳ１１０にて、録画開始時刻の１０秒前となっている録画予約にて指定された仮想チャンネルを特定部Ｐ１が取得し、同仮想チャンネルに対応する物理チャンネルを選局データ２８ｄ１を参照し、特定する。
【００３２】
ステップＳ１１５では、録画部Ｐ５が特定された物理チャンネルの搬送周波数をチューナ２２に設定する。デジタル再生回路２３は、チューナ２２にて受信された放送信号を取得し、映像信号や音声信号の復元を開始させる。このように、予約された録画開始時刻の１０秒前から予めチューナ２２やデジタル再生回路２３を立ち上げておくことにより、録画開始時刻ちょうどに録画を開始させることができる。ただし、予約された録画開始時刻が経過する前に、ステップＳ１２０にて確認部Ｐ２が正常にデジタル放送信号が受信されているかどうかを確認する。具体的には、デジタル再生回路２３にて放送信号から映像信号や音声信号の復元させる際に、トランポートストリームからＳＤＴを取得を試みる。そして、ＳＤＴが取得できれば正常にデジタル放送信号が受信できていると判断し、ＳＤＴが取得できなければチューナ２２が選局している物理チャンネルではいずれの仮想チャンネルのデジタル放送信号も受信できないと判断する。
【００３３】
ＳＤＴが取得できた場合には、チューナ２２にて選局を継続させる。そして、ステップＳ１６０において、当該録画予約にて指定された録画開始時刻が経過した場合には、そのまま録画を開始させる。すなわち、現在受信を行っている物理チャンネルにて正常にデジタル放送信号が受信できているため、チューナ２２の設定を変更することなく録画を行う。一方、ＳＤＴが取得できなかった場合には、ステップＳ１２５にて検索部Ｐ３が、当該録画予約にて指定されている仮想チャンネルの第一検索処理を行う。具体的には、検索部Ｐ３が選局データ２８ｄ１にて受信可能である旨のフラグが付与された物理チャンネルを検索する。図２の例では、物理チャンネルの１，４，６ｃｈが絞り込まれることとなる。
【００３４】
すなわち、事前に行われたオートプリセットにおいていずれかの仮想チャンネルが対応づけられた物理チャンネルを絞り込む。そして、絞り込まれた物理チャンネルをチューナ２２に順に選局させ、各物理チャンネルにおいてＳＤＴが取得できたかどうかを判定する。そして、ＳＤＴが取得できた場合、そのＳＤＴを解析し、仮想チャンネル番号を取得する。これにより、検索した物理チャンネルについて、当該物理チャンネルと仮想チャンネルとの対応関係を特定することができる。そして、このような処理を各物理チャンネルに対して繰り返して行うことにより、ＳＤＴから取得した仮想チャンネル番号が予約データ２８ｄ３にて指定された当該録画予約の仮想チャンネルの番号が受信できる物理チャンネルを検索することができる。なお、各物理チャンネルにおいて複数の仮想チャンネルが多重化されて放送されている場合があるため、このようなサブチャンネルについても一致する仮想チャンネルを検索する。
【００３５】
ステップＳ１３０においては、ステップＳ１２５における第一検索処理において特定された物理チャンネルと仮想チャンネルとの対応関係を更新部Ｐ４が選局データ２８ｄ１に更新させる。なお、受信可能な仮想チャンネルは対応づけられた物理チャンネルについては、受信可能である旨のフラグが付与される。これにより、検索部Ｐ３が第一検索処理を行った際に特定された最新の物理チャンネルと仮想チャンネルとの対応関係を選局データ２８ｄ１に更新させることができる。
【００３６】
ステップＳ１３５においては、当該録画予約の仮想チャンネル番号が受信できる物理チャンネルがステップＳ１２５の第一検索処理にて検索できたかどうかが判定され、検索できた場合には録画部Ｐ５がステップＳ１５５にて検索された物理チャンネルの選局をチューナ２２にて開始させる。一方、検索できなかった場合にはステップＳ１４０にて検索部Ｐ３が第二検索処理を実行させる。具体的には、すべての物理チャンネルをチューナ２２に順に選局させ、各物理チャンネルにおいてＳＤＴが取得できたかどうかを判定する。そして、ＳＤＴが取得できた場合、そのＳＤＴを解析し、仮想チャンネル番号を取得する。このような処理を全物理チャンネルに対して繰り返して行うことにより、ＳＤＴから取得した仮想チャンネル番号が予約データ２８ｄ３にて指定された当該録画予約の仮想チャンネルが受信できる物理チャンネルを検索することができる。言い換えれば、すべての物理チャンネルについて検索を行うことにより、全搬送周波数帯域について指定された仮想チャンネルが受信可能なデジタル放送信号を検索することができる。
【００３７】
ステップＳ１４５においては、ステップＳ１３０と同様に、ステップＳ１３５における第二検索処理において特定された物理チャンネルと仮想チャンネルとの対応関係を更新部Ｐ４が選局データ２８ｄ１に更新させる。これにより、検索部Ｐ３が第二検索処理を行った際に特定された最新の物理チャンネルと仮想チャンネルとの対応関係を選局データ２８ｄ１に更新させることができる。ステップＳ１３５においては、すべての物理チャンネルについて検索が行われるため、デジタル放送信号が受信可能な全物理チャンネルについて対応する仮想チャンネルを更新することができる。
【００３８】
ステップＳ１５０においては、当該録画予約の仮想チャンネル番号が受信できる物理チャンネルがステップＳ１４０の第二検索処理にて検索できたかどうかが判定され、検索できた場合には録画部Ｐ５がステップＳ１５５にて検索された物理チャンネルの選局をチューナ２２にて開始させる。ステップＳ１５５において、ステップＳ１２５の第一検索処理またはステップＳ１４０の第二検索処理のいずれかにて検索された物理チャンネルの選局を開始させ、録画開始時刻が経過すると、ステップＳ１６０にて録画を開始させる。チューナ２２やデジタル再生回路２３は予め立ち上げられているため、ビデオユニット２４を駆動させ、即座に録画を開始させることができる。
【００３９】
一方、ステップＳ１２５およびステップＳ１３５のいずれにおいても仮想チャンネルの番号が一致しない場合には、ステップＳ１６５にて警告ＬＥＤ２１を点灯させる。すなわち、録画予約にて指定された仮想チャンネルを録画することができないとして、使用者に正常に録画ができなかった旨の警告を行う。また、上記のような警告を行うとともに、ステップＳ１７０では、当該録画予約にて指定された録画開始時刻が経過しても、録画は行わない。
【００４０】
以上説明したように、確認部Ｐ２がステップＳ１２０にて選局中の放送信号からＳＤＴが検出した場合のみ、ステップＳ１６０にて、そのまま録画を行うようにしている。従って、録画予約にて指定された仮想チャンネルが物理チャンネルの変更等によって、受信できないにもかかわらず、そのままの物理チャンネルを選局して録画が行われることが防止できる。また、ステップＳ１２５，Ｓ１４０では録画予約にて指定された仮想チャンネルが受信可能な物理チャンネルを全物理チャンネルから検索する。そして、検索された物理チャンネルをステップＳ１５５にて選局させ録画を行うようにしているため、録画予約にて指定された仮想チャンネルに対応する物理チャンネルが変更されていても、その変更に追従して録画を行うことができる。
【００４１】
また、ステップＳ１２５の第一検索処理とステップＳ１４０の第二検索処理を段階的に行うことにより、検索に要する時間を短縮することができる。すなわち、選局データ２８ｄにて対応する仮想チャンネルが規定された物理チャンネルは、使用頻度の高い物理チャンネル（搬送周波数帯域）であるということができるため、全物理チャンネルについて検索を行う前に、可能性の高い物理チャンネルのみ検索を行うことができ、処理時間を短縮することができる。さらに、ステップＳ１２５の第一検索処理とステップＳ１４０の第二検索処理のいずれにおいても録画予約にて指定された仮想チャンネルに対応する物理チャンネルが検索されない場合には、録画を行わないようにしているため、ビデオテープが無駄に消費されることが防止できる。
【００４２】
（３）変形例：
上述した実施形態のステップＳ１２５にて実行される第一検索処理では、選局データ２８ｄにて対応する仮想チャンネルが規定された物理チャンネルのみを検索することにより、検索時間を短縮するようにしていた。このようにすることにより、検索の範囲を使用頻度の高い物理チャンネル（搬送周波数帯域）に絞り込むことができる。このような第一検索処理の代わりに、過去の物理チャンネルと仮想チャンネルとの対応関係に基づいて、録画予約にて指定された仮想チャンネルが受信できる可能性の高い物理チャンネルを絞り込んで、検索を行うようにしてもよい。
【００４３】
図６は、変形例にかかる選局データ２８ｄ１を表にして示している。同図において、選局データ２８ｄ１においては、各物理チャンネルに対応している仮想チャンネルの他に、過去一週間の間に対応していた仮想チャンネルが記憶されている。過去一週間の間に対応していた仮想チャンネルは、現在においては当該物理チャンネルに対応していないものの、過去一週間のいずれかの時間帯において当該物理チャンネルにて受信可能であった仮想チャンネルである。具体的には、図５に示すステップＳ１３０、Ｓ１４５を行う際に、新たに対応する仮想チャンネルを現在対応する仮想チャンネルとして記憶する際に、現時点で対応すると記述された仮想チャンネルを過去に対応していた仮想チャンネルとして書き換える。
【００４４】
以上のような選局データ２８ｄ１を用意しておき、ステップＳ１２５では選局データ２８ｄ１を取得し、録画予約にて指定された仮想チャンネルが、過去一週間の間に対応していた仮想チャンネルとして記述されている物理チャンネルを検索する。そして、絞り込まれた物理チャンネルについてのみ順に選局を行い、そのなかから録画予約にて指定された仮想チャンネルが受信できるものを検索する。図６の例で、仮想チャンネルの２２ｃｈを検索する場合には、物理チャンネルの２ｃｈが候補として絞り込まれることとなる。仮想チャンネルが割り当てられる物理チャンネルには、周期性がある場合があるため、過去に当該仮想チャンネルが受信できた物理チャンネルにおいて、当該仮想チャンネルが受信できる可能性が高いと言うことができる。従って、本変形例では、より効率的に検索処理を実行させることができる。
【００４５】
上述した実施形態に対応する請求項１にかかる発明では、チューナ２２が選局する搬送周波数に対応する物理チャンネルと、録画予約の際に指定される仮想チャンネルとの対応関係を規定したチャンネル対応テーブル２８ｄ１と、上記チャンネル対応テーブル２８ｄ１を参照して上記録画予約にて指定された上記仮想チャンネルに対応する上記物理チャンネルを特定する特定手段Ｐ１と、上記特定手段Ｐ１にて特定された上記物理チャンネルを上記チューナ２２にて選局させて録画を行う録画手段Ｐ５とを具備するデジタル放送録画装置２０において、
上記録画手段Ｐ５が録画を開始する際に上記チューナ２２がデジタル放送信号を受信しているかどうかを確認する確認手段Ｐ２と、上記確認手段Ｐ２にて上記チューナ２２がデジタル放送信号を受信していると確認されないとき、上記チャンネル対応テーブル２８ｄ１にていずれかの上記仮想チャンネルが対応づけられた上記物理チャンネルを順次上記チューナ２２にて選局させ、その際に受信される上記仮想チャンネルを順次特定しつつ、上記録画予約にて指定された上記仮想チャンネルが受信可能な上記物理チャンネルを検索する第一検索手段Ｐ３と、上記第一検索手段Ｐ３において上記録画予約にて指定された上記仮想チャンネルが受信可能な上記物理チャンネルを検索されないとき、すべての上記物理チャンネルを順次上記チューナ２２にて選局させ、その際に受信される上記仮想チャンネルを順次特定しつつ、上記録画予約にて指定された上記仮想チャンネルが受信可能な上記物理チャンネルを検索する第二検索手段Ｐ３と、上記第一検索手段Ｐ３または上記第二検索手段Ｐ３において特定した上記物理チャンネルと上記仮想チャンネルとの対応関係を上記チャンネル対応テーブル２８ｄ１に更新する更新手段Ｐ４とを具備するとともに、上記録画手段Ｐ５は、上記確認手段Ｐ２にて上記チューナ２２がデジタル放送信号を受信していると確認されたとき、同チューナ２２が受信している上記デジタル放送信号に基づく映像を録画し、上記第一検索手段Ｐ３または上記第二検索手段Ｐ３において上記録画予約にて指定された上記仮想チャンネルが受信可能な上記物理チャンネルが検索されたとき、同検索された同物理チャンネルを上記チューナ２２にて選局することにより受信される上記デジタル放送信号に基づく映像を録画し、上記第一検索手段Ｐ３または上記第二検索手段Ｐ３のいずれにおいても上記録画予約にて指定された上記仮想チャンネルが受信可能な上記物理チャンネルが検索されないとき警告を行いつつ録画を行わないことを特徴とする構成としてある。
【００４６】
また、請求項２にかかる発明では、チューナ２２が選局する搬送周波数に対応する物理チャンネルと、録画予約の際に指定される仮想チャンネルとの対応関係を規定したチャンネル対応テーブル２８ｄ１と、上記チャンネル対応テーブル２８ｄ１を参照して上記録画予約にて指定された上記仮想チャンネルに対応する上記物理チャンネルを特定する特定手段Ｐ１と、上記特定手段Ｐ１にて特定された上記物理チャンネルを上記チューナ２２にて選局させて録画を行う録画手段とを具備するデジタル放送録画装置２０において、
上記録画手段が録画を開始する際に上記チューナ２２がデジタル放送信号を受信しているかどうかを確認する確認手段Ｐ２と、上記確認手段Ｐ２にて上記チューナ２２がデジタル放送信号を受信していると確認されないとき、上記物理チャンネルを順次上記チューナ２２にて選局させ、その際に受信される上記仮想チャンネルを順次特定しつつ、上記録画予約にて指定された上記仮想チャンネルが受信可能な上記物理チャンネルを検索する検索手段Ｐ３とを具備するとともに、上記録画手段は、上記確認手段Ｐ２にて上記チューナ２２がデジタル放送信号を受信していると確認されたとき、同チューナ２２が受信している上記デジタル放送信号に基づく映像を録画し、上記検索手段Ｐ３において上記録画予約にて指定された上記仮想チャンネルが受信可能な上記物理チャンネルが検索されたとき、同検索された同物理チャンネルを上記チューナ２２にて選局することにより受信される上記デジタル放送信号に基づく映像を録画する構成としてある。
【００４７】
上記のように構成した請求項２の発明において、上記物理チャンネルと上記仮想チャンネルとの対応関係を規定したチャンネル対応テーブル２８ｄ１を備えることにより、上記仮想チャンネルから対応する上記物理チャンネルを特定し、さらに同特定された物理チャンネルに対応する搬送周波数を特定することができる。従って、特定手段Ｐ１では上記チャンネル対応テーブル２８ｄ１を参照して上記録画予約にて指定された上記仮想チャンネルに対応する上記物理チャンネルを特定することができ、録画手段Ｐ５においては同特定手段Ｐ１にて特定された同物理チャンネルを上記チューナ２２にて選局させて録画を行うことができる。すなわち、使用者が録画予約した上記仮想チャンネルについて録画を行うことができる。
【００４８】
確認手段Ｐ２は上記録画手段Ｐ５が録画を行う際に、上記チューナ２２がデジタル放送信号を受信しているかどうかを確認する。そして、上記確認手段Ｐ２にて上記チューナ２２がデジタル放送信号を受信していると確認されないときには、上記検索手段Ｐ３が上記録画予約にて指定された上記仮想チャンネルが受信可能な上記物理チャンネルを検索する。具体的には、上記物理チャンネルを順次上記チューナ２２にて選局させ、その際に受信される上記仮想チャンネルを順次特定しつつ、上記録画予約にて指定された上記仮想チャンネルが受信可能な上記物理チャンネルを検索する。上記確認手段Ｐ２にて上記チューナ２２がデジタル放送信号を受信していると確認された場合には、上記録画手段Ｐ５は同チューナ２２が受信している上記デジタル放送信号に基づく映像を録画する。一方、上記検索手段Ｐ３において上記録画予約にて指定された上記仮想チャンネルが受信可能な上記物理チャンネルが検索された場合には、上記録画手段Ｐ５は同検索された同物理チャンネルを上記チューナ２２にて選局することにより受信される上記デジタル放送信号に基づく映像を録画する。
【００４９】
また、請求項３にかかる発明では、上記検索手段Ｐ３は、上記チャンネル対応テーブル２８ｄ１にていずれかの上記仮想チャンネルが対応づけられた上記物理チャンネルを順次上記チューナにて選局させ、その際に受信される上記仮想チャンネルを順次特定しつつ、上記録画予約にて指定された上記仮想チャンネルが受信可能な上記物理チャンネルを検索する構成としてある。
上記のように構成した請求項３の発明において、ステップＳ１２５のように、上記検索手段Ｐ３は、上記チャンネル対応テーブル２８ｄ１にて対応する仮想チャンネルが規定された物理チャンネルのみを対象として、上記録画予約にて指定された上記仮想チャンネルが受信可能な上記物理チャンネルを検索する。上記チャンネル対応テーブル２８ｄ１にて上記仮想チャンネルとの対応関係が規定される上記物理チャンネルは、使用頻度の高い物理チャンネル（搬送周波数帯域）であるということができるため、上記録画予約にて指定された上記仮想チャンネルが受信される可能性の高い物理チャンネルのみ検索を行うことができる。
【００５０】
また、請求項４にかかる発明では、上記検索手段Ｐ３は、上記チャンネル対応テーブル２８ｄ１にていずれかの上記仮想チャンネルが対応づけられた上記物理チャンネルのなかから上記録画予約にて指定された上記仮想チャンネルが受信可能な上記物理チャンネルが検索されないとき、すべての上記物理チャンネルを順次上記チューナ２２にて選局させ、その際に受信される上記仮想チャンネルを順次特定しつつ、上記録画予約にて指定された上記仮想チャンネルが受信可能な上記物理チャンネルを検索する構成としてある。
上記のように構成した請求項４の発明において、ステップＳ１２５では上記チャンネル対応テーブル２８ｄ１にて対応する仮想チャンネルが規定された物理チャンネルのみを対象として、上記録画予約にて指定された上記仮想チャンネルが受信可能な上記物理チャンネルを検索し、その結果、同仮想チャンネルが受信可能な上記物理チャンネルが検出されない場合に限り、ステップＳ１４０にて、すべての上記物理チャンネルを対象として検索を行う。これにより、漏れのない検索を行うことができる。
【００５１】
さらに、請求項５にかかる発明では、変形例のように、上記検索手段Ｐ３は、上記チャンネル対応テーブル２８ｄ１に記憶された上記物理チャンネルと上記仮想チャンネルとの過去の対応関係に基づき上記録画予約にて指定された上記仮想チャンネルが過去に対応づけられた上記物理チャンネルを特定し、同特定した上記物理チャンネルを上記物理チャンネルを順次上記チューナ２２にて選局させ、その際に受信される上記仮想チャンネルを順次特定しつつ、上記録画予約にて指定された上記仮想チャンネルが受信可能な上記物理チャンネルを検索する構成としてある。
【００５２】
上記のように構成した請求項５の発明において、上記検索手段Ｐ３は、上記物理チャンネルと上記仮想チャンネルとの過去の対応関係が記述された選局データ２８ｄ１を取得し、録画予約にて指定された仮想チャンネルが、過去に対応していた仮想チャンネルとして記述されている物理チャンネルを検索する。そして、絞り込まれた物理チャンネルについてのみ順に選局を行い、そのなかから録画予約にて指定された仮想チャンネルが受信できるものを検索する。仮想チャンネルが割り当てられる物理チャンネルには、周期性がある場合があるため、過去に当該仮想チャンネルが受信できた物理チャンネルにおいて、当該仮想チャンネルが受信できる可能性が高いと言うことができる。
【００５３】
また、請求項６にかかる発明では、上記検索手段Ｐ３において特定した上記物理チャンネルと上記仮想チャンネルとの対応関係を上記チャンネル対応テーブル２８ｄ１に更新する更新手段Ｐ４を具備する構成としてある。
上記のように構成した請求項６の発明において、上記検索手段Ｐ３が特定した上記物理チャンネルと上記仮想チャンネルとの対応関係をステップＳ１３０，Ｓ１４５にて上記チャンネル対応テーブル２８ｄ１に更新させる。これにより、上記検索手段Ｐ３が検索を行った際に特定された最新の上記物理チャンネルと上記仮想チャンネルとの対応関係を上記チャンネル対応テーブル２８ｄ１に反映させることができる。
【００５４】
さらに、請求項７にかかる発明では、上記録画手段Ｐ５は、上記検索手段Ｐ３において上記録画予約にて指定された上記仮想チャンネルが受信可能な上記物理チャンネルが検索されないとき警告を行う構成としてある。
上記のように構成した請求項７において、上記録画手段Ｐ５は、ステップＳ１６５のように、上記検索手段Ｐ３において上記録画予約にて指定された上記仮想チャンネルが受信可能な上記物理チャンネルが検索されないとき警告を行う。
【００５５】
また、請求項８にかかる発明では、上記録画手段Ｐ５は、上記検索手段Ｐ３において上記録画予約にて指定された上記仮想チャンネルが受信可能な上記物理チャンネルが検索されないとき録画を行わない構成としてある。
上記のように構成した請求項８の発明において、ステップＳ１７０のように、上記検索手段Ｐ３において録画予約にて指定された仮想チャンネルに対応する物理チャンネルが検索されない場合には、録画を行わないようにする。これにより、無駄な映像が録画されることによって、ビデオテープ等の記録媒体が無駄に消費されることが防止できる。
【図面の簡単な説明】
【００５６】
【図１】ビデオレコーダの概略構成図である。
【図２】選局データを示す表である。
【図３】予約データを示す表である。
【図４】制御プログラムのモジュール構成を示すブロック図である。
【図５】録画処理のフローチャートである。
【図６】変形例にかかる選局データを示す表である。
【符号の説明】
【００５７】
１０…アンテナ
２０…ビデオレコーダ
２１…警告ＬＥＤ
２２…チューナ
２３…デジタル再生回路
２４…ビデオユニット
２８ａ…ＣＰＵ
２８ｂ…ＲＡＭ
２８ｃ…ＲＯＭ
２８ｄ…ＥＥＰＲＯＭ
２８ｄ１…選局データ
２８ｄ２…ＯＳＤデータ
２８ｄ３…予約データ
２８ｆ…タイマ
３０…テレビジョン
Ｐ…制御プログラム
Ｐ１…特定部
Ｐ２…確認部
Ｐ３…検索部
Ｐ４…更新部
Ｐ５…録画部
【図１】
2007104127.tif 000003
【図２】
2007104127.tif 000004
【図３】
2007104127.tif 000005
【図４】
2007104127.tif 000006
【図５】
2007104127.tif 000007
【図６】
2007104127.tif 000008